(57)【要約】【課題】捕集した毛髪やごみなどが絡み付いている場合にも毛髪やごみなどをヘアーキャッチャーから取り外しやすくした排水栓を提供すること。【解決手段】捕集部５に対して垂直方向に延びるシリンダー部８が捕集部の中心部に配設されたヘアーキャッチャー４が、シリンダー部の内部にケレップ２の中心部から延びるケレップ軸３を挿通してケレップの下方に配設され、ヘアーキャッチャーは、ケレップ軸の軸方向に２分割され、一方の半部４ａ、４ｂがケレップ軸上を軸方向にスライドして他方の半部４ｂ、４ａから分離可能とされている。【選択図】図１
2009235710.tif 000002
【特許請求の範囲】
【請求項１】
捕集部に対して垂直方向に延びるシリンダー部が捕集部の中心部に配設されたヘアーキャッチャーが、シリンダー部の内部にケレップの中心部から延びるケレップ軸を挿通してケレップの下方に配設された排水栓であって、ヘアーキャッチャーは、ケレップ軸の軸方向に２分割され、一方の半部がケレップ軸上を軸方向にスライドして他方の半部から分離可能とされていることを特徴とする排水栓。
【発明の詳細な説明】
【技術分野】
【０００１】
本発明は、洗面化粧台の排水口に装着され、毛髪やごみなどを捕集するヘアーキャッチャーを備えた排水栓に関する。
【背景技術】
【０００２】
洗面化粧台の排水口に装着される排水栓には、排水管や下水管に毛髪やごみなどが流出することに起因する配管の詰まりを抑制し、また、浄水処理の負担を軽減するなどのために、毛髪やごみなどを捕集するヘアーキャッチャーを備えたものが提供されている。
【０００３】
ヘアーキャッチャーについて、特許文献１には、中心部に貫通穴が設けられた捕集部材と、少なくとも中央部が貫通穴よりも細い軸となる軸部材とからなり、捕集部材が軸部材の中央部にスライド自在に取り付けられたものや、上記捕集部材と、上記軸部材と、中心部に貫通穴を有し、中心部から放射状に広がる複数のリブを備えた捕集リブとからなり、捕集リブが捕集部材の上方で軸部材にスライド自在に取り付けられたものが記載されている。
【０００４】
前者のヘアーキャッチャーでは、捕集部材の上部に捕集された毛髪やごみなどを除去する際に、軸部材の上方をつまんでヘアーキャッチャーを取り出し、軸部材の下方を持ってヘアーキャッチャーをごみ箱などに向けて振ることにより、捕集部材が軸部材の上方へスライドし、捕集した毛髪やごみなどをごみ箱などに振り落とすことができる。したがって、手指やブラシなどを使うことなく、簡単な操作で衛生的にヘアーキャッチャーの掃除を行うことができる。
【０００５】
後者のヘアーキャッチャーでは、ヘアーキャッチャーを振ることにより、捕集リブだけを軸部材の上方にスライドさせることができ、毛髪やごみなどが捕集部材に絡み付いていても捕集リブにより引き剥がすことができる。したがって、捕集部材に毛髪やごみなどが絡み付いた場合にも、毛髪やごみなどに手を触れることなく衛生的にヘアーキャッチャーを掃除することができる。
【特許文献１】特開２００４−１１６２２８号公報
【発明の開示】
【発明が解決しようとする課題】
【０００６】
特許文献１に記載された上記ヘアーキャッチャーは、いずれのものも、捕集した毛髪やごみなどを手指やブラシなどを使うことなく簡単な操作で捕集部材から除去するようにしているために、除去する際には、ヘアーキャッチャーを振り、捕集部材または捕集リブを上方にスライドさせるようにしている。この操作は確かに簡単であり、大部分の毛髪やごみなどをヘアーキャッチャーから取り除くことができると考えられるが、その一方で、振っている最中にヘアーキャッチャーが人の手からすり抜けたり、振り落とした毛髪やごみなどが必ずしもごみ箱などに収まるとは限らず、他の場所に落下したりすることなどが懸念される。
【０００７】
ところで、毛髪やごみなどは、振り落とし後にも一部は捕集部材に残るはずであり、実際、特許文献１には、捕集部材を軸部材に着脱自在に固定し、捕集部材を軸部材から取り外して捕集部材そのものを掃除することが記載されてもいる。このことから、特許文献１に記載されたヘアーキャッチャーでも、全く手指などを使わずに掃除することは稀なことではないかと推測される。
【０００８】
また、衛生面は、掃除する者の生理的な感覚が影響する問題でもあり、手袋などを使用することによってある程度生理的な不快感を抑えることができ、生理的な不快感は、主として毛髪やごみなどが絡み付いた状態に起因していると考えることができる。
【０００９】
したがって、ヘアーキャッチャーの掃除の際に、毛髪やごみなどを捕集部材から容易に引き剥がすことができれば、掃除する者に過度の負担とならないのではないかと予想される。
【００１０】
本発明は、以上の通りの事情に鑑みてなされたものであり、捕集した毛髪やごみなどが絡み付いている場合にも毛髪やごみなどをヘアーキャッチャーから取り外しやすくした排水栓を提供することを課題としている。
【課題を解決するための手段】
【００１１】
本発明は、上記の課題を解決するために、捕集部に対して垂直方向に延びるシリンダー部が捕集部の中心部に配設されたヘアーキャッチャーが、シリンダー部の内部にケレップの中心部から延びるケレップ軸を挿通してケレップの下方に配設された排水栓であって、ヘアーキャッチャーは、ケレップ軸の軸方向に２分割され、一方の半部がケレップ軸上を軸方向にスライドして他方の半部から分離可能とされていることを特徴としている。
【発明の効果】
【００１２】
本発明は、上記特徴により、２分割されたヘアーキャッチャーの一方の半部をケレップ軸上で軸方向にスライドさせると、他方の半部と分離するので、捕集部に捕集された毛髪やごみなどが、ヘアーキャッチャーの一方の半部のスライドにともなって引き剥がされ、一方の半部と他方の半部とに分かれる。したがって、捕集部で捕集した毛髪やごみなどを容易に取り外すことができ、毛髪やごみなどが絡み付いていても、一方の半部のスライドによって確実に引き剥がされ、取り外しやすくなる。
【発明を実施するための最良の形態】
【００１３】
図１は、本発明の排水栓の一実施形態を示した断面図である。図２＜ａ＞＜ｂ＞は、それぞれ、図１に示した排水栓に配設されたヘアーキャッチャーの斜視図、分解斜視図であり、図３＜ａ＞＜ｂ＞は、それぞれ、図２＜ａ＞＜ｂ＞に対応するヘアーキャッチャーの断面図、分解断面図である。
【００１４】
排水栓１は、洗面化粧台の洗面ボウルに形成された排水口の口径に対応する外径を有する略円板状のケレップ２と、ケレップ２の中心部において下方に垂下するケレップ軸３と、ケレップ軸３上に配設されるヘアーキャッチャー４とを備えている。ケレップ軸３は、ステンレス製などの耐食性を有する金属丸棒から形成されている。
【００１５】
ヘアーキャッチャー４は、捕集部５として、上端部に上捕集部５１、下端部に下捕集部５２を備えている。上捕集部５１および下捕集部５２はともに、略円形の外形形状を有し、複数のリブ６１、６２が半径方向に配設され、上下方向に開口している。上捕集部５１では、リブ６１はくの字状に屈曲し、また、内側に環状のリング７が配設され、隣り合うリブ６１をくの字状に屈曲した底部屈曲部６１ａにおいて接続し、補強している。
【００１６】
上捕集部５１および下捕集部５２は、同心円上に配置されており、中心部には、上捕集部５１および下捕集部５２に対して垂直方向、すなわち、上下方向に延びるシリンダー部８が配設され、上捕集部５１および下捕集部５２はシリンダー部８と接続している。
【００１７】
また、ヘアーキャッチャー４は、ケレップ軸３の軸方向に２分割され、右半部４ａと左半部４ｂとに分割されている。右半部４ａは、上捕集部５１の右側の半部５１ａと、シリンダー部８が、上捕集部５１の左側の半部５１ｂの下側において左側から中心部に向かって半分に分割されるとともに、長さ方向、すなわち、ケレップ軸３の軸方向に分割され、さらに、下捕集部５２の下側において右側に向かって分割された右側の半部８ａと、下捕集部５２の右側の半部５２ａとを有している。左半部４ｂは、ヘアーキャッチャー４の残りの左側の部分であり、上捕集部５１の左側の半部５１ｂと、シリンダー部８の左側の半部８ｂと、下捕集部５２の左側の半部５２ｂとを有している。
【００１８】
このようなヘアーキャッチャー４では、一方の半部である右半部４ａまたは左半部４ｂが、ケレップ軸３上を軸方向にスライド可能とされている。したがって、右半部４ａがケレップ軸３上を上方にスライドするとき、または左半部４ｂが下方にスライドするとき、右半部４ａまたは左半部４ｂは、他方の半部である左半部４ｂまたは右半部４ａからケレップ軸３の軸方向に位置ずれし、互いに分離する。分離した状態では、右半部４ａと左半部４ｂとには、それぞれ、ケレップ軸３の軸方向に分割されていないシリンダー部８が部分的に存在するので、右半部４ａおよび左半部４ｂはともに、ケレップ軸３から脱落することはなく、ケレップ軸３上に留まる。
【００１９】
逆方向にスライドさせ、右半部４ａと左半部４ｂとを対面させて配置すると、ヘアーキャッチャー４として一体となる。一体化した状態を保持するために、上捕集部５１の外周リング９には、図４に示したように、半部５１ａ、５１ｂの端面が突き合わされる部位に凹部１０および楔状の凸部１１が配設されている。凸部１１が凹部１０に嵌合することにより、ヘアーキャッチャー４の右半部４ａと左半部４ｂとは安定に結合し、ヘアーキャッチャー４は一体状態を保持することができる。一般に、ヘアーキャッチャー４は、上捕集部５１および下捕集部５２ならびにシリンダー部８を含めて樹脂により形成することができ、この場合、樹脂そのものが有する弾性によって嵌合強度が向上し、一体状態をより安定に保持することが可能となる。このようなヘアーキャッチャー４の保持手段は、凹部１０および凸部１１に限定されず、また、配設部位も上捕集部５１の外周リング９に限定されない。ヘアーキャッチャー４が一体化した状態を保持することができるような等価な技術手段を採用することができる。
【００２０】
また、排水栓１には、ケレップ軸３の下端部に、ケレップ軸３の径方向にくぼむ環状溝部１２が形成され、略Ｕ字形状のリング１３が、環状溝部１２においてケレップ軸３に上下方向に回動自在に配設されている。環状溝部１２が形成された部分においてケレップ軸３には径方向に貫通する孔が形成されており、この孔にリング１３の内側に折れ曲がる両端部が回動自在に嵌入し、リング１３の上下方向の回動が可能とされている。
【００２１】
リング１３は、環状溝部１２の下端部に沿って水平に配置可能であり、水平状態において先端部がケレップ軸３の外周面外側に突出する。したがって、リング１３が水平に配置されると、ヘアーキャッチャー４はケレップ軸３から取り外すことができない。一方、リング１３を両端部を中心として上方に回動させ、環状溝部１２に収納すると、ヘアーキャッチャー４は、ケレップ軸３上を下方にスライドさせることによりケレップ軸３から取り外すことができる。このようなヘアーキャッチャー４の取り外しは、一体となっている状態においても、また、右半部４ａと左半部４ｂとに分離した状態においても可能であり、分離した状態では、右半部４ａと左半部４ｂとを個別にケレップ軸３から取り外すことができる。
【００２２】
上記の排水栓１は、図５に示したように、洗面化粧台の洗面ボウル１４に形成された排水口１５に挿入し、装着することができる。この状態において洗面化粧台を使用すると、排水とともに流れ落ちる毛髪やごみなどが捕集部５としての上捕集部５１および下捕集部５２のリブ６１、６２によって捕集される。
【００２３】
捕集した毛髪やごみなどが溜まると、排水性能が低下し、ヘアーキャッチャー４の掃除を促す。そのときには、排水栓１を排水口１５から取り外し、外部に取り出す。そして、図２＜ｂ＞および図３＜ｂ＞に示したように、ヘアーキャッチャー４の右半部４ａまたは左半部４ｂのいずれか一方をケレップ軸３上で軸方向にスライドさせ、他方から分離する。このとき、上捕集部５１および下捕集部５２に捕集された毛髪やごみなどが、ヘアーキャッチャー４の一方の半部のスライドにともなって引き剥がされ、上捕集部５１および下捕集部５２では、右側と左側の半部５１ａ、５１ｂ、５２ａ、５２ｂに分かれる。このため、捕集した毛髪やごみなどをヘアーキャッチャー４から容易に取り外すことができ、たとえ毛髪やごみなどが上捕集部５１および下捕集部５２に絡み付いていても、一方の半部のスライドによって確実に引き剥がされ、取り外しやすい。したがって、手指を用いることはあっても、ヘアーキャッチャー４の掃除は容易となり、生理的な不快感が良好に抑えられ、掃除する者への負担が軽減される。また、毛髪やごみなどの除去の際にヘアーキャッチャー４を振る必要はなく、ヘアーキャッチャー４が誤って手からすり抜けたり、毛髪やごみなどがごみ箱などからそれて床などに落下したりすることもない。
【００２４】
ヘアーキャッチャー４を洗浄する必要がある場合は、リング１３を上記の通りに操作してヘアーキャッチャー４をケレップ軸３から取り外し、洗浄することができる。
【図面の簡単な説明】
【００２５】
【図１】本発明の排水栓の一実施形態を示した断面図である。
【図２】＜ａ＞＜ｂ＞は、それぞれ、図１に示した排水栓に配設されたヘアーキャッチャーの斜視図、分解斜視図である。
【図３】＜ａ＞＜ｂ＞は、それぞれ、図２＜ａ＞＜ｂ＞に対応するヘアーキャッチャーの断面図、分解断面図である。
【図４】図１に示した排水栓に配設されたヘアーキャッチャーの上捕集部を部分的に示した平面図である。
【図５】図１に示した排水栓を洗面化粧台の洗面ボウルに形成された排水口に装着した状態を示した要部断面図である。
【符号の説明】
【００２６】
１  排水栓
２  ケレップ
３  ケレップ軸
４  ヘアーキャッチャー
４ａ  右半部
４ｂ  左半部
５  捕集部
８  シリンダー部
【図１】
2009235710.tif 000003
【図２】
2009235710.tif 000004
【図３】
2009235710.tif 000005
【図４】
2009235710.tif 000006
【図５】
2009235710.tif 000007